(57)【要約】  冷感材料を有する吸収性物品（１）と、前記吸収性物品（１）を包装する包装材（２０）とを備えた吸収性物品包装体（５０）であって、前記冷感材料を備えていることを想起させるための想起表示（Ｓ１）を有し、前記吸収性物品包装体（５０）を開封して展開し、前記吸収性物品（１）の肌側から見た展開状態において前記想起表示が視認可能に設けられていることを特徴とする吸収性物品包装体（５０）である。
2020009089.tif 000002
【特許請求の範囲】
【請求項１】
冷感材料を有する吸収性物品と、
前記吸収性物品を包装する包装材とを備えた吸収性物品包装体であって、
前記冷感材料を備えていることを想起させるための想起表示を有し、
前記吸収性物品包装体を開封して展開し、前記吸収性物品の肌側から見た展開状態において前記想起表示が視認可能に設けられていることを特徴とする吸収性物品包装体。
【請求項２】
温感材料を有する吸収性物品と、
前記吸収性物品を包装する包装材とを備えた吸収性物品包装体であって、
前記温感材料を備えていることを想起させるための想起表示を有し、
前記吸収性物品包装体を開封して展開し、前記吸収性物品の肌側から見た展開状態において前記想起表示が視認可能に設けられていることを特徴とする吸収性物品包装体。
【請求項３】
請求項１又は２に記載の吸収性物品包装体であって、
前記想起表示は、図形、文字、又は、図形と文字の組み合わせであることを特徴とする吸収性物品包装体。
【請求項４】
請求項１又は２に記載の吸収性物品包装体であって、
前記想起表示は、前記吸収性物品に設けられていることを特徴とする吸収性物品包装体。
【請求項５】
請求項４に記載の吸収性物品包装体であって、
前記吸収性物品は、厚さ方向を有し、
前記想起表示は、前記吸収性物品を前記厚さ方向に圧搾した圧搾部によって形成されていることを特徴とする吸収性物品包装体。
【請求項６】
請求項１に記載の吸収性物品包装体であって、
前記想起表示は、雪の結晶を示した図形であることを特徴とする吸収性物品包装体。
【請求項７】
請求項２に記載の吸収性物品包装体であって、
前記想起表示は、太陽を示した図形であることを特徴とする吸収性物品包装体。
【請求項８】
請求項６又は７に記載の吸収性物品包装体であって、
前記吸収性物品は、互いに直交する前後方向及び幅方向と、吸収体を有し、
前記吸収性物品は、前記前後方向において、着用時に少なくとも股間部に位置する股間部位と、前記股間部より前側の前側部と、前記股間部より後側の後側部とを備え、
前記吸収性物品は、前記吸収体の前記幅方向の一方側に設けられ前記前後方向に沿った一方側圧搾部と、前記吸収体の前記幅方向の他方側に設けられ前記前後方向に沿った他方側圧搾部とを有し、
前記想起表示が、前記前側部又は前記後側部の少なくとも一方において、前記一方側圧搾部を遮っており、前記他方側圧搾部を遮っていないことを特徴とする吸収性物品包装体。
【請求項９】
請求項５から８のいずれか１項に記載の吸収性物品包装体であって、
前記吸収性物品は、厚さ方向を有し、
吸収体と、
前記厚さ方向において、前記吸収体より非肌側に配置された非肌側シートを有し、
前記非肌側シートは、白色のシートであり、
前記想起表示は、前記吸収性物品を前記厚さ方向に圧搾した圧搾部によって形成されており、
前記圧搾部は、前記吸収体に設けられ、前記非肌側シートに設けられていないことを特徴とする吸収性物品包装体。
【請求項１０】
請求項９に記載の吸収性物品包装体であって、
前記想起表示の周りに色が施された着色領域を有することを特徴とする吸収性物品包装体。
【請求項１１】
請求項１から３のいずれか１項に記載の吸収性物品包装体であって、
前記想起表示は、前記包装材に設けられていることを特徴とする吸収性物品包装体。
【請求項１２】
請求項１１に記載の吸収性物品包装体であって、
前記展開状態において、前記想起表示は、前記吸収性物品より外側に、前記想起表示の全体が視認可能に設けられていることを特徴とする吸収性物品包装体。
【請求項１３】
請求項１に記載の吸収性物品包装体であって、
前記想起表示とは異なる、前記冷感材料を備えていることを想起させるための第２想起表示が前記包装材に設けられていることを特徴とする吸収性物品包装体。
【請求項１４】
請求項２に記載の吸収性物品包装体であって、
前記想起表示とは異なる、前記温感材料を備えていることを想起させるための第２想起表示が前記包装材に設けられていることを特徴とする吸収性物品包装体。
【請求項１５】
請求項１から１４のいずれか１項に記載の吸収性物品包装体であって、
包装状態の前記吸収性物品包装体において、前記包装材を通して前記想起表示を視認することができることを特徴とする吸収性物品包装体。
【請求項１６】
請求項１から１５のいずれか１項に記載の吸収性物品包装体であって、
包装状態の前記吸収性物品包装体は、複数の折り線に沿って、複数回折り畳まれており、
前記複数の折り線のうち、前記包装状態から前記展開状態にするために、最初に展開する第１折り線について展開した状態において、
前記想起表示が視認可能であることを特徴とする吸収性物品包装体。
【請求項１７】
請求項１６に記載の吸収性物品包装体であって、
前記想起表示は、前記吸収性物品のうち、最初に展開する側の端から前記第１折り線までの間に設けられていることを特徴とする吸収性物品包装体。
【請求項１８】
請求項１から１５のいずれか１項に記載の吸収性物品包装体であって、
包装状態の前記吸収性物品包装体は、複数の折り線に沿って、複数回折り畳まれており、
前記複数の折り線は、前記包装状態から前記展開状態とする場合に最初に展開される第１折り線と、前記第１折り線について展開された後に展開される展開折り線とを有し、
前記第１折り線について展開した状態において、前記想起表示は視認することができず、
前記展開折り線について展開した状態において、前記想起表示の少なくとも一部は視認可能であることを特徴とする吸収性物品包装体。
【請求項１９】
請求項１から１８のいずれか１項に記載の吸収性物品包装体であって、
吸収体と、
前記吸収性物品の厚さ方向において、前記吸収体より肌側に配置された肌側シートと、
前記厚さ方向において、前記肌側シートより肌側又は非肌側に配置されたシート部材と、を有し、
前記想起表示は、前記肌側シートと前記シート部材とが、前記厚さ方向に接合された接合部によって形成されていることを特徴とする吸収性物品包装体。
【請求項２０】
請求項１から１９のいずれか１項に記載の吸収性物品包装体と、
前記吸収性物品包装体を収容する袋体と、
を有する吸収性物品包装体のパッケージであって、
前記袋体は、袋体表示を有し、
前記袋体表示は、前記想起表示と同じ図形又は文字を有していることを特徴とする吸収性物品包装体のパッケージ。
【請求項２１】
請求項２０に記載の吸収性物品包装体のパッケージであって、
前記吸収性物品包装体は、香りを有し、
前記袋体は、前記吸収性物品包装体を取り出すための切り取り線を有し、
前記切り取り線には、間欠にスリットが設けられていることを特徴とする吸収性物品包装体のパッケージ。
【発明の詳細な説明】
【技術分野】
【０００１】
本発明は、吸収性物品包装体及び吸収性物品包装体のパッケージに関する。
【背景技術】
【０００２】
吸収性物品の一例として、生理用ナプキン、パンティーライナー、及び吸収パッドがある。特許文献１のように、例えば、吸収性物品が皮膚に冷やすような感触を与える物質等の揮発性物質を有することが知られている。
【先行技術文献】
【特許文献】
【０００３】
【特許文献１】特表２００７−５２５２４５号
【発明の概要】
【発明が解決しようとする課題】
【０００４】
しかしながら、着用者は着用によって揮発性物質の効果を感じやすくなるが、着用前においては、吸収性物品が揮発性物質を有しているか否かを認識することが困難であった。【０００５】
本発明は、上記のような従来の問題に鑑みてなされたものであって、その目的は、吸収性物品が冷感材料又は温感材料を備えていることを着用前の着用者に想起させやすい吸収性物品包装体及び吸収性物品包装体のパッケージを提供することを目的とする。
【課題を解決するための手段】
【０００６】
上記目的を達成するための主たる発明は、冷感材料を有する吸収性物品と、前記吸収性物品を包装する包装材とを備えた吸収性物品包装体であって、前記冷感材料を備えていることを想起させるための想起表示を有し、前記吸収性物品包装体を開封して展開し、前記吸収性物品の肌側から見た展開状態において前記想起表示が視認可能に設けられていることを特徴とする吸収性物品包装体である。
また、温感材料を有する吸収性物品と、前記吸収性物品を包装する包装材とを備えた吸収性物品包装体であって、前記温感材料を備えていることを想起させるための想起表示を有し、前記吸収性物品包装体を開封して展開し、前記吸収性物品の肌側から見た展開状態において前記想起表示が視認可能に設けられていることを特徴とする吸収性物品包装体である。
本発明の他の特徴については、本明細書及び添付図面の記載により明らかにする。
【発明の効果】
【０００７】
本発明によれば、着用者が吸収性物品を着用する前であっても、展開状態において、吸収性物品が冷感材料又は温感材料を備えていることを着用者に想起させやすくなる。
【図面の簡単な説明】
【０００８】
【図１】図１は、展開状態の包装体５０を肌側から見た平面図である。
【図２】図２は、展開状態の包装体５０を非肌側から見た平面図である。
【図３】図３Ａは、包装状態の包装体５０をテープ部材２１側から見た平面図である。図３Ｂは、包装状態の包装体５０をテープ部材２１側の反対側の面から見た平面図である。
【図４】図４は、ナプキン１を肌側から見た平面図である。
【図５】図５は、ナプキン１を非肌側から見た平面図である。
【図６】図６は、図４中のＡ−Ａ矢視で示すナプキン１の概略断面図である。
【図７】図７は、冷感材料の塗布領域を説明する図である。
【図８】図８は、第１折り線Ｆ１について展開した状態を説明する図である。
【図９】図９は、パッケージ１００の斜視図である。
【図１０】図１０Ａは、包装体５０を説明する図である。図１０Ｂは、第１折り線Ｆ１について展開した包装体５０を説明する図である。図１０Ｃは、図１０Ｂから第２折り線Ｆ２を展開した包装体５０を説明する図である。図１０Ｄは、図１０Ｃから第３折り線Ｆ３について展開した包装体５０を説明する図である。図１０Ｅは、図１０Ｄから第４折り線Ｆ４について展開した包装体５０を説明する図である。図１０Ｆは、図１０Ｅから包装材２０を除いたナプキン１を説明する図である。
【発明を実施するための形態】
【０００９】
本明細書及び添付図面の記載により、少なくとも以下の事項が明らかとなる。
冷感材料を有する吸収性物品と、前記吸収性物品を包装する包装材とを備えた吸収性物品包装体であって、前記冷感材料を備えていることを想起させるための想起表示を有し、前記吸収性物品包装体を開封して展開し、前記吸収性物品の肌側から見た展開状態において前記想起表示が視認可能に設けられていることを特徴とする吸収性物品包装体である。
【００１０】
このような吸収性物品包装体によれば、着用者が吸収性物品を着用する前であっても、展開状態において、吸収性物品が冷感材料を備えていることを着用者に想起させやすくなる。
【００１１】
温感材料を有する吸収性物品と、前記吸収性物品を包装する包装材とを備えた吸収性物品包装体であって、前記温感材料を備えていることを想起させるための想起表示を有し、前記吸収性物品包装体を開封して展開し、前記吸収性物品の肌側から見た展開状態において前記想起表示が視認可能に設けられていることを特徴とする吸収性物品包装体である。
【００１２】
このような吸収性物品包装体によれば、着用者が吸収性物品を着用する前であっても、展開状態において、吸収性物品が温感材料を備えていることを着用者に想起させやすくなる。
【００１３】
かかる吸収性物品包装体であって、前記想起表示は、図形、文字、又は、図形と文字の組み合わせであることが望ましい。
【００１４】
このような吸収性物品包装体によれば、吸収性物品を着用する前であっても、吸収性物品が冷感材料又は温感材料を備えていることを着用者に想起させやすくなる。
【００１５】
かかる吸収性物品包装体であって、前記想起表示は、前記吸収性物品に設けられていることが望ましい。
【００１６】
このような吸収性物品包装体によれば、吸収性物品を着用する前であっても、吸収性物品が冷感材料又は温感材料を備えていることを着用者に想起させやすくなる。
【００１７】
かかる吸収性物品包装体であって、前記吸収性物品は、厚さ方向を有し、前記想起表示は、前記吸収性物品を前記厚さ方向に圧搾した圧搾部によって形成されていることが望ましい。
【００１８】
このような吸収性物品包装体によれば、吸収性物品を着用する前だけでなく、吸収性物品を着用している際にも、吸収性物品が冷感材料又は温感材料を備えていることを着用者に想起させやすくなる。
【００１９】
かかる吸収性物品包装体であって、前記想起表示は、雪の結晶を示した図形であることが望ましい。
【００２０】
このような吸収性物品包装体によれば、冷たく感じさせる雪の図形によって、吸収性物品を着用する前だけでなく、吸収性物品を着用している際にも、吸収性物品が冷感材料を備えていることを着用者に想起させやすくなる。
【００２１】
かかる吸収性物品包装体であって、前記想起表示は、太陽を示した図形であることが望ましい。
【００２２】
このような吸収性物品包装体によれば、暖かく感じさせる太陽の図形によって、吸収性物品を着用する前だけでなく、吸収性物品を着用している際にも、吸収性物品が温感材料を備えていることを着用者に想起させやすくなる。
【００２３】
かかる吸収性物品包装体であって、前記吸収性物品は、互いに直交する前後方向及び幅方向と、吸収体を有し、前記吸収性物品は、前記前後方向において、着用時に少なくとも股間部に位置する股間部位と、前記股間部より前側の前側部と、前記股間部より後側の後側部とを備え、前記吸収性物品は、前記吸収体の前記幅方向の一方側に設けられ前記前後方向に沿った一方側圧搾部と、前記吸収体の前記幅方向の他方側に設けられ前記前後方向に沿った他方側圧搾部とを有し、前記想起表示が、前記前側部又は前記後側部の少なくとも一方において、前記一方側圧搾部を遮っており、前記他方側圧搾部を遮っていないことが望ましい。
【００２４】
このような吸収性物品包装体によれば、想起表示と線状圧搾部とを区別させやすくすることで、着用者に想起表示を認識させやすくなる。
【００２５】
かかる吸収性物品包装体であって、前記吸収性物品は、厚さ方向を有し、吸収体と、前記厚さ方向において、前記吸収体より非肌側に配置された非肌側シートを有し、前記非肌側シートは、白色のシートであり、前記想起表示は、前記吸収性物品を前記厚さ方向に圧搾した圧搾部によって形成されており、前記圧搾部は、前記吸収体に設けられ、前記非肌側シートに設けられていないことが望ましい。
【００２６】
このような吸収性物品包装体によれば、例えば、想起表示の色を薄く見せたりすることができるため、着用者に吸収性物品が冷感材料又は温感材料を備えていることを着用者に想起させやすくなる。
【００２７】
かかる吸収性物品包装体であって、前記想起表示の周りに色が施された着色領域を有することが望ましい。
【００２８】
このような吸収性物品包装体によれば、例えば、想起表示の色をより薄く見せたりすることができ、着用者に吸収性物品が冷感材料又は温感材料を備えていることを着用者に想起させやすくなる。
【００２９】
かかる吸収性物品包装体であって、前記想起表示は、前記包装材に設けられていることが望ましい。
【００３０】
このような吸収性物品包装体によれば、吸収性物品を着用する前であっても、吸収性物品が冷感材料又は温感材料を備えていることを着用者に想起させやすくなる。
【００３１】
かかる吸収性物品包装体であって、前記展開状態において、前記想起表示は、前記吸収性物品より外側に、前記想起表示の全体が視認可能に設けられていることが望ましい。
【００３２】
このような吸収性物品包装体によれば、着用者に想起表示を認識させやすくなり、吸収性物品が冷感材料又は温感材料を備えていることを着用者に想起させやすくなる。
【００３３】
かかる吸収性物品包装体であって、前記想起表示とは異なる、前記冷感材料を備えていることを想起させるための第２想起表示を有することが望ましい。
【００３４】
このような吸収性物品包装体によれば、包装状態でも吸収性物品が冷感材料を備えていることを着用者に想起させやすくなる。
【００３５】
かかる吸収性物品包装体であって、前記想起表示とは異なる、前記温感材料を備えていることを想起させるための第２想起表示を有することが望ましい。
【００３６】
このような吸収性物品包装体によれば、包装状態でも吸収性物品が温感材料を備えていることを着用者に想起させやすくなる。
【００３７】
かかる吸収性物品包装体であって、包装状態の前記吸収性物品包装体において、前記包装材を通して前記想起表示を視認することが望ましい。
【００３８】
このような吸収性物品包装体によれば、包装状態でも吸収性物品が冷感材料又は温感材料を備えていることを着用者に想起させやすくなる。
【００３９】
かかる吸収性物品包装体であって、包装状態の前記吸収性物品包装体は、複数の折り線に沿って、複数回折り畳まれており、前記複数の折り線のうち、前記包装状態から前記展開状態にするために、最初に展開する第１折り線について展開した状態において、
前記想起表示が視認可能であることが望ましい。
【００４０】
このような吸収性物品包装体によれば、包装状態から展開状態するための最初の瞬間に吸収性物品が冷感材料又は温感材料を備えていることを着用者に想起させやすくなる。
【００４１】
かかる吸収性物品包装体であって、前記想起表示は、前記吸収性物品のうち、最初に展開する側の端から前記第１折り線までの間に設けられていることが望ましい。
【００４２】
このような吸収性物品包装体によれば、包装状態から第１折り線について展開したときに、着用者が想起表示を視認しやすくなり、吸収性物品が冷感材料又は温感材料を備えていることを着用者に想起させやすくなる。
【００４３】
かかる吸収性物品包装体であって、包装状態の前記吸収性物品包装体は、複数の折り線に沿って、複数回折り畳まれており、前記複数の折り線は、前記包装状態から展開状態とする場合に最初に展開される第１折り線と、前記第１折り線について展開された後に展開される展開折り線とを有し、前記第１折り線について展開した状態において、前記想起表示は視認することができず、前記展開折り線について展開した状態において、前記想起表示の少なくとも一部は視認可能であることが望ましい。
【００４４】
このような吸収性物品包装体によれば、包装状態から展開状態するための最初の瞬間に吸収性物品が冷感材料又は温感材料を備えていることを着用者に想起させやすくなる。
【００４５】
かかる吸収性物品包装体であって、吸収体と、前記吸収性物品は、厚さ方向を有し、前記厚さ方向において、前記吸収体より肌側に配置された肌側シートと、前記厚さ方向において、前記肌側シートより肌側又は非肌側に配置されたシート部材と、を有し、前記想起表示は、前記肌側シートと前記シート部材とが、前記厚さ方向に接合された接合部によって形成されていることが望ましい。
【００４６】
このような吸収性物品包装体によれば、吸収性物品を着用する前であっても、吸収性物品が冷感材料又は温感材料を備えていることを着用者に想起させやすくなる。
【００４７】
かかる吸収性物品包装体であって、前記吸収性物品包装体を収容する袋体と、を有する吸収性物品包装体のパッケージであって、前記袋体は、袋体表示を有し、前記袋体表示は、前記想起表示と同じ図形又は文字を有していることが望ましい。
【００４８】
このような吸収性物品包装体のパッケージによれば、袋体表示によって、吸収性物品が冷感材料又は温感材料を備えていることを、吸収性物品包装体のパッケージを見た着用者に、着用者に想起させやすくなる。
【００４９】
かかる吸収性物品包装体のパッケージであって、前記吸収性物品包装体は、香りを有し、前記袋体は、前記吸収性物品包装体を取り出すための切り取り線を有し、前記切り取り線には、間欠にスリットが設けられていることが望ましい。
【００５０】
このような吸収性物品包装体のパッケージによれば、開封前の吸収性物品包装体のパッケージであっても、吸収性物品包装体のパッケージのスリットから漏れる吸収性物品包装体の香りを着用者に認識させやすくなる。
【００５１】
＝＝＝第１実施形態＝＝＝
以下、本発明に係る吸収性物品として生理用ナプキンを例に挙げて実施形態を説明するが、生理用ナプキンに限らず、パンティーライナー、又は軽失禁用パッド等のように、使用者の着衣に固定して使用する吸収性物品であればよい。また、第１実施形態では、冷感材料を備えた吸収性物品である生理用ナプキン１について説明する。
【００５２】
＜＜包装体５０の基本構成＞＞
図１は、展開状態の包装体（「ナプキン１の包装体」又は「吸収性物品包装体」ともいう。）５０を肌側から見た平面図である。図２は、展開状態の包装体５０を非肌側から見た平面図である。図３Ａは、包装状態の包装体５０をテープ部材２１側から見た平面図であり、図３Ｂは、包装状態の包装体５０をテープ部材２１側の反対側の面から見た平面図である。展開状態の包装体５０及び包装状態の包装体５０は、それぞれ互いに直交する長手方向、幅方向、及び厚さ方向を有する。包装体５０は、生理用ナプキン１（以下、「ナプキン１」ともいう。）と、ナプキン１を包装する包装材を備えている。図３Ａ及び図３Ｂにおいて、折り線Ｆ１、Ｆ２に沿った方向を折り線方向という。また、図３Ａに示すように、包装材２０のうち、展開状態におけるナプキン１の前側に位置する側の端には、テープ部材２１が設けられている。着用者は、開封時にまずテープ部材２１を掴み、テープ部材２１引っ張るようにして、包装材２０を展開する。
【００５３】
「展開状態」の包装体５０とは、図１及び図２に示すように、包装状態の包装体５０を開封して、折り畳まれた部分の全てを展開した状態をいう。「包装状態」の包装体５０とは、図３Ａ及び図３Ｂに示すように、展開状態の包装体５０の所定箇所を、具体的には、一対のウイング部をそれぞれ幅方向の内側に折り畳み、第１折り線Ｆ１及び第２折り線Ｆ２で肌側シートを内側にして折り畳み、包装材２０の折り線方向における端部２０ｅを溶着することによって封をした状態をいう。包装体５０は、第１折り線Ｆ１と第２折り線Ｆ２の２つの折り線を有しており、包装状態から展開状態にするために最初に展開する折り線は第１折り線Ｆ１であり、包装状態から展開状態にするために最後に展開する折り線は第２折り線Ｆ２である。
【００５４】
＜＜生理用ナプキン１の基本構成＞＞
図４は、生理用ナプキン１を肌側から見た平面図である。図５は、ナプキン１を非肌側から見た平面図である。図６は、図４中のＡ−Ａ矢視で示すナプキン１の概略断面図である。図７は、冷感材料の塗布領域を説明する図である。
【００５５】
ナプキン１は、互いに直交する長手方向、幅方向、及び厚さ方向を有する。ナプキン１の長手方向において、使用者の下腹部に当接する側を「前側」といい、使用者の臀部に当接する側を「後側」という。また、ナプキン１の厚さ方向において、使用者の肌に当接する側を「肌側」といい、その反対側を「非肌側」という。ナプキン１の長手方向は、展開状態５０の長手方向でもある。図中のＸ−Ｘ線は幅方向における中心線である。
【００５６】
ナプキン１は、長手方向の中央部から幅方向の両外側に延出した一対のウイング部１Ｗを有している。以下、ナプキン１の長手方向において、ウイング部１Ｗが設けられた部分を中央部１Ｂ、中央部１Ｂより前側の部分を前側部１Ａ、中央部１Ｂより後側の部分を後側部１Ｃという。
【００５７】
また、ナプキン１の幅方向の中央部には、肌側シート２、中間シート３、吸収体１０、非肌側シート４、サイドシート６を有している。厚さ方向の肌側から順に、肌側シート２、中間シート３、吸収体１０及び非肌側シート４が積層されている。サイドシート６は、肌側シート２の肌側面の幅方向の端部から吸収体１０の非肌側面の幅方向の端部に亘って配置され、肌側シート２とサイドシート６とが接合部Ｂで接合されている。肌側シート２、中間シート３、吸収体１０、非肌側シート４、サイドシート６はそれぞれホットメルト接着剤等の接着剤を用いて接合固定されている。接着剤は、各部材の肌面側及び非肌面側のそれぞれに亘って任意の塗布パターンで塗布されており、Ωパターンやスパイラルパターン、ストライプパターン等の塗布パターンから選択することができる。なお、図６等において、便宜上、接合部Ｂ以外の接着剤を省略して示している。また、各シートは、接着剤による接合に限らず、圧搾や溶着等を用いていてもよい。
【００５８】
肌側シート２及び中間シート３は、液透過性のシート部材であり、エアスルー不織布等を例示できる。肌側シート２は、白色のシート部材、中間シート３は、淡い緑色のシート部材である。ウイングシート５及びサイドシート６は、それぞれ疎水性のシート部材であり、エアスルー不織布、スパンボンド不織布等を例示できる。非肌側シート４は、液不透過性のシート部材であり、ポリエチレン（ＰＥ）の樹脂フィルム等を例示できる。非肌側シート４は、平面サイズが吸収体１０よりも大きく、吸収体１０の平面全体を覆っている。ウイングシート５、サイドシート６、非肌側シート４は、それぞれ白色のシート部材である。
【００５９】
ウイング部１Ｗは、肌側シート２等の幅方向の両側部から外側に延出しているサイドシート６及び非肌側シート４によって形成されている。なお、ナプキン１がウイング部１Ｗを有さない形態であってもよい。
【００６０】
吸収体１０は、排泄物を吸収して内部に保持する部材である。吸収体１０は、吸収性コア（不図示）と、吸収性コアを覆うカバーシート（不図示）とを有している。吸収性コアは、液体吸収性繊維であるパルプ繊維やセルロース系吸収性繊維等に、液体吸収性粒状物である高吸収性ポリマー（所謂ＳＡＰ）等が加えられ、所定の形状に成形されたものである。カバーシートは、液透過性のシートであり、ティッシュ等を例示できる。
【００６１】
ナプキン１においては、中間シート３に緑色のシート部材を用いたが、肌側シート２、中間シート３、ウイングシート５、サイドシート６、非肌側シート４のいずれかのシートに有色のシート部材を用いることが好ましい。このとき、青色、水色、緑色など寒色系のシートを用いることで、着用者に対して涼しい印象を与えやすくなる。
【００６２】
図４に示すように、肌側面から視認すると、ナプキン１が雪の結晶を表す雪表示（「想起表示」ともいう。）Ｓ１、雪表示（「想起表示」ともいう。）Ｓ２及び、複数の線状圧搾部Ｅを有していることがわかる。雪表示Ｓ１及びＳ２の詳細は後述する。
【００６３】
複数の線状圧搾部Ｅは、着用状態において着用者の膣口が当接すると考えられる領域を囲むような形状であり、吸収体１０の形状に沿うような形状に設けられている。線状圧搾部Ｅは、肌側シート２と中間シート３と吸収体１０を厚さ方向から圧搾加工を施して、所望の形状に形成された圧搾部である。圧搾によって、肌側シート２の繊維密度と中間シート３の繊維密度、及び吸収体１０の繊維密度が、圧搾をしていない部分よりそれぞれ大きくなっている。線状圧搾部Ｅを設けることで、排泄物が所定の範囲より外側に拡散することを抑止して、ナプキン１から排泄物漏れてしまう恐れを軽減している。
【００６４】
ナプキン１の非肌側面（つまり、非肌側シート４の非肌側面）には、接着剤が塗布される等した中央粘着部８が設けられている。図５に示すように、中央粘着部８は、長手方向に長辺を有する長方形状の複数の中央粘着部８が幅方向に間隔を空けて配置されているが、中央粘着部８の形状、数、及び配置はこれに限られない。中央粘着部８がナプキン１の使用時に下着等の着衣の肌側面に貼り付けられることで、ナプキン１は下着等に固定される。
【００６５】
同様に、各ウイング部１Ｗの厚さ方向の非肌側面（非肌側シート４の非肌側面）には、ウイング粘着部９が設けられている。図５に示すように、ウイング粘着部９は、長手方向に長辺を有する長方形状の複数のウイング粘着部９が幅方向に間隔を空けて配置されているが、ウイング粘着部９の形状、数、及び配置はこれに限られない。ナプキン１の使用時にウイング部１Ｗは非肌側に折り曲げられ、ウイング粘着部９は、下着等の非肌側面に張り付けられる。これにより、ウイング部１Ｗは下着等に固定される。
【００６６】
ナプキン１は、肌側シート２と中間シート３との間に、着用者に対して冷感や清涼感を与える化合物を含む冷感材料を備える。冷感材料は、揮発性の物質であり、かかる冷感材料の例としては、メントール（例えば、ｌ−メントール）及びその誘導体（例えば、乳酸メンチル）、サリチル酸メチル、カンファー、植物（例えば、ミント、ユーカリ）由来の精油等が挙げられる。なお、冷感材料は、温度感受性ＴＲＰチャネルを刺激するものが好ましい。冷感材料は、肌側シート２の表面又は裏面、中間シート３の表面や裏面、吸収体１０等に、冷感材料の効果に応じて、所望の場所に、所定の塗布パターンで塗布することができる。例えば、ナプキン１には、製造時において、肌側シート２の非肌側面に液体状の冷感材料を塗布されている。図７は、冷感材料の塗布領域Ｑを示している。図７に示すように、ナプキン１の冷感材料は、幅方向の中央領域に、長手方向の前側端から後側端まで連続して塗布されている。
【００６７】
また、着用時において、着用者の膣口に当接すると考えられる領域の、肌側シート２の肌側面には、油膜層Ｒが設けられている。油膜層Ｒとして、トリアシルグリセロール等の油膜が用いられ、冷感材料が直接的に着用者の陰部に接触することを抑制し、着用者に適度な冷感効果を与えやすくしている。
【００６８】
＜＜包装材２０について＞＞
包装材２０は、ナプキン１を個別に包装するシート状の包装部材であり、ナプキン１の使用時には取り外される部材である。包装材２０の材料としては、例えば、プラスチックフィルム、ナイロンフィルム等の各種フィルムや、不織布、不織布をラミネート加工したフィルム等を用いることができるが、ナプキン１は冷感材料を備えているため、冷感材料の揮発を防ぐことができる素材を用いることが好ましい。包装体５０においては、接着性樹脂を含む変性ポリエチレンシート（変性ＰＥ）とエチレン‐ビニルアルコール共重合体シート（ＥＶＯＨ）と変性ＰＥとの３層を重ね合わせた、厚み１８μｍのシートを包装材２０として用いている。展開状態において、ナプキン１と接する面を内側面、内側面とは反対の面を外側面という。なお、包装材２０として、ＰＥとＥＶＯＨとＰＥとを厚さ方向にそれぞれ接着剤で接着した厚さ約３２μｍのシート部材や、ＰＥとＥＶＯＨとＰＥとを厚さ方向にそれぞれ接着剤で接着した厚さ約３２μｍのシート部材の一方の面に印刷を加え、他方の面にシリコン層を備えた厚さ約４０μｍのシート部材を用いてもよい。
【００６９】
包装材２０は、緑色を基調としたデザインを有しており、図１、図２等に示すように、包装材２０には、想起表示Ｍ１、想起表示Ｍ２、想起表示Ｍ３等が設けられている。想起表示Ｍ１、Ｍ２、Ｍ３の詳細については、後述する。
【００７０】
＜＜ナプキン１使用前の包装体５０について＞＞
ナプキン１の使用前の展開状態において、つまり、図３Ａ及び図３Ｂに示す包装状態から、第１折り線Ｆ１と第２折り線Ｆ２についてそれぞれ展開し、両ウイング部１Ｗを幅方向の外側に展開した展開状態において、図１に示すように、ナプキン１の肌側から見ると、雪表示Ｓ１及び雪表示Ｓ２を視認することができる。雪表示Ｓ１及び雪表示Ｓ２は、それぞれ雪の結晶を表した図形であり、ナプキン１が冷感材料を備えていることを想起させるための想起表示である。一般的に、雪は冷たいものであるという観念があるため、着用者は、雪の結晶の表示を視認することで、ナプキン１が冷感材料を有しているということを想起しやすくなる。つまり、着用者に、ナプキン１が冷たさを感じさせる機能を有していることを印象づけやすくなる。
【００７１】
着用者に対し、ナプキン１が冷感材料を備えていることを想起させるための想起表示は、雪の結晶を表した図形に限られない。例えば、雪だるまやかき氷などの図形であってもよいし、「ＣＯＯＬ」や「ＩＣＥ」などの文字であってもよい。また、これらの図形や文字を組み合わせた表示であってもよい。
【００７２】
雪表示Ｓ１及び雪表示Ｓ２は、線状圧搾部Ｅと同じように、肌側シート２と中間シート３と吸収体１０を厚さ方向から圧搾加工を施して、所望の形状に形成された圧搾部であることが好ましい。雪表示Ｓ１及び雪表示Ｓ２の圧搾部は、非肌側シートには設けられていないことが好ましい。ナプキン１の着用前だけでなく、ナプキン１の着用後にも雪表示Ｓ１、Ｓ２が消えてしまったりする恐れがなく、雪表示Ｓ１、Ｓ２を着用前から着用後まで視認可能な状態となり、着用者にナプキン１が冷感材料を備えていることを想起させやすくなる。また、圧搾部とすることで、雪表示Ｓ１及び雪表示Ｓ２が形成されている部分は、肌側シート２の繊維密度と中間シート３の繊維密度、及び吸収体１０の繊維密度が、圧搾をしていない部分よりそれぞれ大きくなる。
【００７３】
ナプキン１の前側を上側として、肌側面から見ると、雪表示Ｓ１は、ナプキン１の前側部１Ａで、幅方向の中心より右側の領域に１つ配置されている。雪表示Ｓ２は、ナプキン１の後側部１Ｃで、幅方向の中心より左側の領域に２つ配置されている。なお、雪表示Ｓ１は雪表示Ｓ２よりも大きい。
【００７４】
ナプキン１に設けた雪表示Ｓ１、Ｓ２は、展開状態だけでなく、包装材２０を取り除いたナプキン１のみの状態でも視認することができることが好ましい。これによって、着用者がナプキン１を下着等に固定をする際や、着用後にナプキン１を処分する際に、着用者は、雪表示Ｓ１、Ｓ２を視認することができるため、着用者に冷感材料を備えたナプキン１であることをより印象づけやすくなる。
【００７５】
ナプキン１の雪表示Ｓ１、Ｓ２が形成されている部分は、肌側シート２と中間シート３と吸収体１０を厚さ方向から圧搾加工を施した圧搾部である。雪表示Ｓ１、Ｓ２が形成されている部分は、圧搾加工が施されていない部分の各繊維とは物質性状が異なり、色の違いを生じさせることができる。そのため、非肌側シート４や吸収体１０等の色を調整することで、雪表示Ｓ１、Ｓ２の色を薄くしたりすることができる。例えば、雪表示Ｓ１、Ｓ２の色を、雪表示Ｓ１、Ｓ２の周囲の色とは異なる白色や青色にすることで、雪の結晶をより印象づける図形にすることができ、着用者に冷感材料を有したナプキン１であることを想起させやすくなる。「白色」としては、マンセル表色系で「Ｎ９．５」と表される色や、ＲＧＢ色空間で「２５５，２５５，２５５」と表される色、所謂真っ白を例示できる。また、前記真っ白と同じ色系統である色、具体的には、前記真っ白との色差が０以上１２未満である色も「白色」に含まれるものとする。「白色」以外の色が有色であり、寒色はこの部類に含まれる。具体的には、上記に定義した「白色」との色差が４０以上の色であることが好ましい。白色の特定方法は、白色に対する色差で比較でき、例えばコニカミノルタ社製の色彩色差計ＣＲ−３００を用いて特定することができる。
【００７６】
また、圧搾された雪表示Ｓ１、Ｓ２の周囲に色が施された着色領域を有してもよい。例えば、青色の吸収体１０を用いた場合には、雪表示Ｓ１、Ｓ２が形成されている部分と、雪表示Ｓ１、Ｓ２が形成されている部分の周囲とは異なる色にすることができる。これによって、雪の結晶をより印象づける図形にすることができ、着用者にナプキン１の冷感材料を想起させやすくなる。また、着色領域は吸収体に限られず、青色に着色した中間シート３に圧搾加工を施して異なる色としてもよく、各部材２、３、１０等を接着する接着剤を着色してもよい。
【００７７】
図４に示すナプキン１において、幅方向の一方側を右側、他方側を左側とすると、線状圧搾部Ｅは、前側部１Ａに、右側に設けられた前後方向に沿った右側圧搾部（一方側圧搾部）Ｅａ１と、左側に設けられた前後方向に沿った左側圧搾部（他方側圧搾部）Ｅａ２を有している。このとき、雪表示Ｓ１が、右側圧搾部Ｅａ１を遮っている一方、左側圧搾部Ｅａ２を遮っていないことがより好ましい。ナプキン１においては、雪表示Ｓ１は、線状圧搾部Ｅと同様に圧搾によって形成されている。そのため、雪表示Ｓ１が線状圧搾部Ｅの一部であるかのような印象を与えてしまう恐れがある。この点、雪表示Ｓ１が、右側圧搾部Ｅａ１を遮るが、左側圧搾部Ｅａ２を遮らないことで、雪表示Ｓ１と線状圧搾部Ｅとを区別させやすくすることができる。これによって、着用者に雪表示Ｓ１を認識させやすくなり、ナプキン１が冷感材料を備えることを想起させやすくなる。
【００７８】
同様に、線状圧搾部Ｅは、後側部１Ｃに、前後方向に沿った右側圧搾部Ｅｃ１と前後方向に沿った左側圧搾部Ｅｃ２を有している。雪表示Ｓ２は、左側圧搾部Ｅｃ２を遮っている一方、右側圧搾部Ｅｃ１を遮っていないことがより好ましい。これによって、着用者に雪表示Ｓ２と線状圧搾部Ｅとを区別させやすくすることができる。
【００７９】
なお、ナプキン１においては、雪表示Ｓ１と雪表示Ｓ２を前側部１Ａと後側部１Ｃにそれぞれ設けたが、必ずしも両方設ける必要はない。いずれか一方の表示だけでもよい。
【００８０】
但し、包装体５０のように、複数の折り線Ｆ１、Ｆ２に沿って複数回折り畳まれている場合には、包装状態の包装体５０において雪表示Ｓ１、Ｓ２を視認することはできないが（図３Ａ及び図３Ｂ参照）、複数の折り線Ｆ１、Ｆ２のうち、包装状態から展開状態にするために最初に展開する第１折り線Ｆ１について展開した状態とすると初めて視認することができる雪表示Ｓ１を包装体５０が有することが好ましい。また、より好ましくは、ナプキン１のうち、最初に展開する側の端、つまり図８における、前側の端から第１折り線Ｆ１までの間に雪表示Ｓ１を設けているとよい。図８は、第１折り線Ｆ１について展開した状態を説明する図である。包装状態の包装体５０から展開状態にするために、着用者は、第１折り線Ｆ１について最初に展開した瞬間にナプキン１に備えられた雪表示Ｓ１を視認することができるため、着用者に冷感材料を備えたナプキンであることを認識させやすくなる。特に、展開状態にするための、最初の動作における瞬間であるため、着用者により強い印象を与えやすくなる。なお、図３Ａ及び図３Ｂに示す包装状態において、雪表示Ｓ１や雪表示Ｓ２が透けて見える構成であってもよい。これにより、包装状態において、ナプキン１が冷感材料を備えていることを想起させやすくなる。
【００８１】
また、包装体５０は、想起表示としての雪表示Ｓ１、Ｓ２の他に、想起表示Ｍ１、想起表示Ｍ２、及び想起表示Ｍ３を有している。図１に示すように、展開状態の包装体５０において、ナプキン１の肌側から見て、包装材２０に設けられた想起表示Ｍ１、想起表示Ｍ２、想起表示Ｍ３を視認することができる。想起表示Ｍ１、Ｍ２、Ｍ３は、それぞれ包装材２０の外側面に印刷されている。想起表示Ｍ１、Ｍ２、Ｍ３は、それぞれ外側面に濃く印刷がされており、内側面は、外側面の印刷を透かして見ることができる。
【００８２】
図１に示す展開状態の包装体５０において、想起表示Ｍ１は、パラソル、帽子、ビーチチェアを表した図形であり、海を連想させやすい表示である。想起表示Ｍ２は、アイスクリームを表した図形である。想起表示Ｍ３は、「ｃｏｏｌ」の文字を表しており、外側面から正しく読むことができる文字を反転した状態である。
【００８３】
想起表示Ｍ１、想起表示Ｍ２、及び想起表示Ｍ３は、それぞれナプキン１が冷感材料を備えていることを想起させるための想起表示である。一般的に、海やアイスクリームは概念的に涼しい印象があり、「ｃｏｏｌ」の文字は「涼しい」ことを文字で表している。着用者は、ナプキン１を使用する前であっても、包装材２０の想起表示Ｍ１、Ｍ２、Ｍ３を視認することで、ナプキン１が冷感材料を有しているということを想起しやすくなる。つまり、着用者に、ナプキン１が冷たさを感じさせる機能を有していることを印象づけやすくなる。
【００８４】
図１に示すように、展開状態の包装体５０において、包装材２０のうちナプキン１より外側の領域に、例えば、想起表示Ｍ３のように、想起表示Ｍ３全体が視認可能に設けられていることがより好ましい。着用者に、ナプキン１が冷感材料を備えていることを想起させる表示であることを認識させやすくなる。
【００８５】
さらに、包装材２０は、想起表示Ｍ１、Ｍ２、Ｍ３とは異なる、展開状態において包装体５０の肌側から視認することはできない想起表示Ｎ１（第２想起表示）を備えていてもよい。想起表示Ｎ１は、ナプキン１が冷感材料を備えることを想起させるための想起表示であり、図１及び図２に示すように、展開状態の包装体５０を肌側から見ると、ナプキン１が重ねられた位置に設けられているため、視認することができない。一方、図３Ｂに示すように想起表示Ｎ１は、包装状態の包装体５０において視認しやすい位置に設けられている。これによって、包装状態の包装体５０においてもナプキン１が冷感材料を備えていることを着用者に想起させやすくなる。
【００８６】
図１等において、ナプキン１の肌側シート２とサイドシート６との接合部Ｂは、接着剤による複数の略ひし形の接合部Ｂを長手方向に配置したものであるが、接合部Ｂを雪の結晶の図形等として、想起表示としてもよい。接合部Ｂは、着用前に視認しやすい場所であるため、着用者に、ナプキン１が冷感材料を備えていることを想起させやすくなる。
【００８７】
＜＜パッケージ１００について＞＞
図９は、パッケージ１００の斜視図である。図９に示すように、パッケージ（「包装体５０のパッケージ」ともいう。）１００は、包装用の袋体１０１に複数の包装体５０、５０、・・・が収容されたものである。本実施形態においては、１つのパッケージ１００に１６個の包装体５０が収容されている。パッケージ１００は、互いに直交する上下方向、左右方向、及び前後方向を有する。パッケージ１００のうち、商品名表示Ｇが設けられている前側の面を正面とする。袋体１０１の上面部分には、包装体５０を取り出すための取り出し口１０２が設けられている。取り出し口１０２は、左右方向に沿った複数のスリットによる切り取り線であり、包装体５０をパッケージ１００から取り出す際に切り取り線に沿って取り出し口１０２を開封して包装体５０を取り出すことができる。
【００８８】
袋体１０１は、ナプキン１の雪表示Ｓ１と同じ図形の雪表示Ｓｐ１と、ナプキン１の雪表示Ｓ２と同じ図形の雪表示Ｓｐ２を有している。さらに、雪表示Ｓ１、Ｓ２とは異なる雪の結晶を表した雪表示Ｓｐ３を有している。ナプキン１の想起表示である雪表示Ｓ１とＳ２と同じ図形の雪表示Ｓｐ１、Ｓｐ２を有することで、パッケージ１００の購入者やナプキン１の着用者に、パッケージ１００を見た際に、ナプキン１が冷感材料を備えていることを想起させやすくなる。
【００８９】
なお、本実施形態においては、袋体１０１に、ナプキン１の雪表示Ｓ１、Ｓ２と同じ図形の雪表示Ｓｐ１、Ｓｐ２を設けたが、これに限られない。例えば、包装材２０の想起表示Ｍ１、想起表示Ｍ２、又は想起表示Ｍ３のいずれかと同じ図形又は文字による想起表示を設けるものであってもよい。また、ナプキン１の雪表示Ｓ１、Ｓ２、包装材２０の想起表示Ｍ１、想起表示Ｍ２、想起表示Ｍ３とは、色や大きさが異なっていてもよい。
【００９０】
また、包装体５０が香料等の香りを備えることがより好ましい。香りを備えた包装体５０を包装した状態のパッケージ１００は、間欠に設けられたスリットからパッケージ１００の外側に香りが漏れやすくなる。これによって、着用者や店頭等でパッケージ１００を確認する顧客等が、開封前のパッケージ１００のスリットから包装体５０の香りを認識しやすくなり、包装体５０が備える香りに応じて、自然由来のナプキン１であったり、冷感材料を備えるナプキン１であること等を着用前に認識しやすくなる。
【００９１】
包装材５０が備える香りとしては、当該技術分野において従来用いられてきたものと同様のものを用いることができる。包装体５０が備える香りは、冷感材料そのものが有する香りであってもよいし、冷感材料と併せて用いる香料であってもよい。さらに、包装材５０が、ナプキン１が冷感材料を備えることを想起させることができる香りを備えることがより好ましい。
【００９２】
なお、冷感材料と併せて用いる香料として、特にグリーンハーバル調の香料（グリーンハーバル様香気）を用いた場合には、特に精神的な不快症状を身体に物理的刺激を与えることなく、また、経口投与にもよらず、安全かつ簡便に緩和させることが可能になる。これに加え、快適感も得られる。
【００９３】
グリーンハーバル様香気は、グリーン様香気（グリーンノート）又はハーバル様香気（ハーバルノート）を含む香調である。グリーン様香気とは、草や若葉のすがすがしい香調をいう。ハーバル様香気（ハーバルノート）とは、ハーブを用いた自然で、薬草的な香り立ちが特徴の香調をいう。
【００９４】
グリーンハーバル様香気を有する香料を含有する香料組成物は、シス-３-ヘキセノール、ギ酸シス-３-ヘキセニル、酢酸シス-３-ヘキセニル、プロピオン酸シス-３-ヘキセニル、酪酸シス-３-ヘキセニル、トランス-２-ヘキセナール、酢酸トランス-２-ヘキセニル、酢酸ヘキシル、酢酸スチラリル、２-メチル-３-（３，４-メチレンジオキシフェニル）-プロパナール（ＩＦＦ社名、ヘリオナール）、３（４）-（５-エチルビシクロ［２，２，１］ヘプチル-２）-シクロヘキサノール、２-ペンチロキシグリコール酸アリル（ＩＦＦ社名、アリルアミルグリコレート）、４-メチル-３-デセン-５-オール（Ｇｉｖａｕｄａｎ社名、ウンデカベルトール）、ヘキシルアルデヒド、２，４-ジメチル-３-シクロヘキセニルカルボキシアルデヒド（ＩＦＦ社名、トリプラール）及びフェニルアセトアルデヒドより選択される１種又は２種以上の香料を含有することが好ましい。これらの香料として市販品を用いることもできる。これらが含まれる香料は主にグリーン様香気を生ずるものである。
【００９５】
グリーンハーバル様香気を有する香料を含有する香料組成物は、更に、ｌ-メントール、１，８-シネオール、サリチル酸メチル、シトロネラール、カンファー、ボルネオール、酢酸イソボルニル、酢酸ターピニル、オイゲノール、アネトール、４-メトキシベンジルアルコール及びエストラゴールより選択される１種又は２種以上の香料を含有することが好ましい。これらが含まれる香料は、主として、ハーバル様香気を生ずるものである。
【００９６】
＝＝＝第２実施形態＝＝＝
第１実施形態では、冷感材料を備えたナプキン１について説明したが、ナプキン１が、冷感材料に替えて温感材料を備えていてもよい。第２実施形態では、温感材料を備えるナプキン１について説明する。また、第１実施形態の構成と共通する部分は、符号等を同じとし、包装体５０及びナプキン１の基本構成の詳細な説明は省略する。
【００９７】
ナプキン１は、肌側シート２と中間シート３との間に、着用者に対して温感を与える化合物を含む温感材料を備える。温感材料は、肌側シート２の表面又は裏面、中間シート３の表面や裏面、吸収体１０等に、温感材料の効果に応じて、所望の場所に、所定の塗布パターンで塗布することができる。例えば、冷感材料と同様に、製造時において、ナプキン１の肌側シート２の非肌側面に液体状の温感材料を所定のパターンで塗布することができる。なお、第２実施形態において、肌側シート２、中間シート３、ウイングシート５、サイドシート６、非肌側シート４のいずれかのシートに赤色、オレンジ色、ピンク色等の暖色系のシート部材を用いることで、着用者に対して暖かい印象を与えやすくなる。
【００９８】
温感材料を設けることで、着用者の生理痛や冷え症状を緩和させることができる。温感材料は、着用者の温度感覚に刺激を与えることにより、刺激を受けた着用者が温かく感じる温感刺激剤を含み、揮発性の物質である溶媒と混合された状態で備えられている。
【００９９】
温感刺激剤は、着用者の安心感の観点から、植物由来の化合物であることが好ましい。温感刺激剤としては、例えば、カプシコシド、カプサイシン（ＬＤ５０：４７ｍｇ／ｋｇ，分子量：３０５）、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル（ＬＤ５０：２，１８８ｍｇ／ｋｇ，分子量：２１３）、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル（ＬＤ５０：４，９００ｍｇ／ｋｇ，分子量：２１０）、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール（ＬＤ５０：２５０ｍｇ／ｋｇ，分子量：２９４）、ジンゲロン、ヘスペリジン、及びピロリドンカルボン酸、並びにそれらの任意の組み合わせが挙げられる。
【０１００】
溶媒は、温感刺激剤を含むことができるものであれば、特に限定されず、例えば、親油性溶媒及び親水性溶媒が挙げられる。溶媒は、温感刺激剤を、例えば、溶解、分散等することができる。親油性溶媒としては、油脂、例えば、天然油（例えば、トリグリセリド等の脂肪酸エステル、ヤシ油、アマニ油、トリ（カプリル／カプリン酸）グリセリル等）、炭化水素（例えば、パラフィン、例えば、流動パラフィン）等が挙げられる。親水性溶媒は、水及びアルコールが挙げられる。上記アルコールとしては、メタノール、エタノール、エチレングリコール、グリセリン等の低級アルコール、カプリルアルコール、ラウリルアルコール、ミリスチルアルコール等の高級アルコール等が挙げられる。
【０１０１】
なお、温感材料は、温度感受性ＴＲＰチャネルを刺激するものが好ましい。例えば、温度感受性ＴＲＰチャネルの１つであるＴＲＰＶ１は、カプサイシン、酸等の刺激により活性化される。そして、着用者のＴＲＰＶ１が活性化されると、交換神経系を介して産熱が引き起こされる（着用者が体内で熱を作り出す）。つまり、携帯用使い捨てカイロのようにそれ自身が高温になって着用者を温めるのではなく、カプサイシン等のようにそれ自身が高温になることなく着用者を温めるのがよい。そうすると、着用者は、低温火傷や火傷することなく、冷たさや温かさを感じることができる。
【０１０２】
第２実施形態における包装材２０の材質は、第１実施形態と同様である。ただし、冷感材料を備える第１実施形態の包装材２０は緑色を基調としたデザインを有していたが、温感材料を備える第２実施形態の包装材は、オレンジ色を基調としたデザインを有し、ナプキン１が温感材料を有していることを想起させるための想起表示を有している（不図示）。想起表示としては、例えば、第１実施形態の圧搾部である雪表示Ｓ１及び雪表示Ｓ２に代えて、太陽を表す図形を設けることができる。一般的に、太陽は熱いものという観念があるため、着用者は、太陽の表示を視認することで、ナプキン１が温感材料を有していることを想起しやすくなる。つまり、着用者に、ナプキン１が温かさを感じさせる機能を有していることを印象付けやすくなる。
【０１０３】
ナプキン１が温感材料を備えていることを想起させるための想起表示は、太陽を表した図形に限られない。例えば、コートやマフラー等の暖かさをイメージする図形であってもよいし、「ＨＯＴ」等の文字であってもよい。また、これらの図形や文字を組み合わせた表示であってもよい。
【０１０４】
また、第１実施形態では、青色の吸収体１０を用いて、雪表示Ｓ１、Ｓ２が形成されている部分の周囲とは異なる色にしたが、第２実施形態では、ピンク色の吸収体１０を用いて想起表示が形成されている部分と異なる色としてもよい。このようにすることで、第２実施形態における想起表示の太陽をより印象づけやすくなり、着用者にナプキン１の温感材料を想起させやすくなる。
【０１０５】
さらに、想起表示は、ナプキン１だけでなく、包装材２０に設けられていてもよい。展開状態や包装状態において、視認可能な想起表示を設けることで、包装体５０の展開前や展開後に、ナプキン１が温感材料を備えていることを想起させやすくなる。
【０１０６】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【０１０７】
上述の実施形態においては、包装体５０は、第１折り線Ｆ１と第２折り線Ｆ２を備え、第１折り線Ｆ１と第２折り線Ｆ２が、展開状態の包装体５０の幅方向に沿っていたが、これに限られない。例えば、折り線は、１つであってもよいし、３つ以上であってもよい。また、展開状態の包装体５０の長手方向に沿う折り線を有していてもよい。
【０１０８】
図１０Ａは、包装体５０を説明する図である。図１０Ｂは、第１折り線Ｆ１について展開した包装体５０を説明する図である。図１０Ｃは、図１０Ｂから第２折り線Ｆ２を展開した包装体５０を説明する図である。図１０Ｄは、図１０Ｃから第３折り線Ｆ３について展開した包装体５０を説明する図である。図１０Ｅは、図１０Ｄから第４折り線Ｆ４について展開した包装体５０を説明する図である。図１０Ｆは、図１０Ｅから包装材２０を除いたナプキン１を説明する図である。なお、上述の実施形態と共通する部材には、同じ符号を付している。
【０１０９】
図１０Ａは、包装状態の包装体５０であるが、上述の実施形態とは異なり、包装材２０同士の溶着部を有していない。続いて、包装状態から展開状態とする場合に最初に展開される第１折り線Ｆ１について展開することで図１０Ｂの状態となる。第１折り線Ｆ１は、展開状態における包装体５０の幅方向に沿った方向の折り線である。図１０Ｂの状態から第２折り線Ｆ２について展開することで、図１０Ｃの状態となり、長手方向について全て展開された状態となる。第２折り線Ｆ２は、第１折り線Ｆ１に沿った折り線である。図１０Ａ、図１０Ｂ、及び図１０Ｃの状態において、ナプキン１は包装材２０で覆われた状態であり、ナプキン１を直接視認することはできない。
【０１１０】
さらに、図１０Ｃの状態から、第３折り線（展開折り線）Ｆ３について展開することで、図１０Ｄの状態となる。第３折り線Ｆ３について展開すると、ナプキン１の一部が視認可能な状態となり、同時にナプキン１の雪表示Ｓ１が視認可能な状態となる。このように、ナプキン１の一部が視認可能な状態となるのと同時に、ナプキン１の雪表示Ｓ１も視認可能となることで、着用者にはナプキン１に対する雪表示Ｓ１の印象が強く残りやすくなり、着用者にナプキン１が冷感材料を備えていることを想起させやすくなる。
【０１１１】
図１０Ｄの状態から、第４折り線Ｆ４について展開することで、展開状態の包装体５０となる。つまり、第４折り線Ｆ４は、包装状態から展開状態とする場合に最後に展開される折り線である。そして、着用者は、包装材２０を取り除いた図１０Ｆのナプキン１を下着等の着衣に固定することで着用状態とすることができる。
【０１１２】
上述の実施形態においては、ナプキン１に圧搾加工で形成された雪表示Ｓ１、Ｓ２を設けたが、これに限られない。ナプキン１に雪の図形や「ＣＯＯＬ」の文字等を印刷した想起表示としてもよい。
【０１１３】
上述の実施形態においては、ナプキン１が想起表示として、雪表示Ｓ１、Ｓ２を備え、さらに包装材２０が想起表示として、想起表示Ｍ１、Ｍ２、Ｍ３を備えたが、これに限られない。ナプキン１のみが想起表示を備えるものであってもよいし、包装材２０のみが想起表示を備えるものであってもよい。また、想起表示は１つでもよいし、複数であってもよい。
【０１１４】
上述の実施形態においては。包装材２０の外側面に施した想起表示Ｍ１、Ｍ２、Ｍ３を内側面から透かして視認することができることにしたが、これに限られない。想起表示Ｍ１、Ｍ２、Ｍ３を内側面又は外側面にのみ設けるものであってもよい。
【０１１５】
上述の実施形態においては、包装材２０に想起表示Ｍ１、Ｍ２、Ｍ３を設けて、包装状態の包装体５０の想起表示を視認可能としたが、これに限られない。例えば、想起表示を備えない包装材２０を用いて、包装表示を備えたナプキン１を包装した場合に、包装状態においてナプキン１の包装表示を視認可能にしたものであってもよい。これによって、包装状態においても、着用者にナプキン１が冷感材料を備えること想起させやすくなる。
【符号の説明】
【０１１６】
１  ナプキン（吸収性物品）、
１Ａ  前側部、１Ｂ  中央部、１Ｃ  後側部、１Ｗ  ウイング部、
２  肌側シート、３  中間シート、４  非肌側シート、
６  サイドシート（シート部材）、
８  中央粘着部、９  ウイング粘着部、
１０  吸収体、
２０  包装材、２０ｅ  端部、
５０  包装体（吸収性物品包装体）、
１００  パッケージ、１０１  袋体、１０２  取り出し口、
Ｂ  接合部、
Ｅ  線状圧搾部、
Ｅａ１  右側圧搾部（一方側圧搾部）、Ｅａ２  左側圧搾部（他方側圧搾部）、
Ｅａ１  右側圧搾部（一方側圧搾部）、Ｅａ２  左側圧搾部（他方側圧搾部）、
Ｆ１  第１折り線、Ｆ２  第２折り線、
Ｇ  商品名表示、
Ｍ１  想起表示、Ｍ２  想起表示、Ｍ３  想起表示、
Ｎ１  想起表示（第２想起表示）、
Ｒ  油膜層、
Ｓ１  雪表示（想起表示）、Ｓ２  雪表示（想起表示）
【図１】
2020009089.tif 000003
【図２】
2020009089.tif 000004
【図３】
2020009089.tif 000005
【図４】
2020009089.tif 000006
【図５】
2020009089.tif 000007
【図６】
2020009089.tif 000008
【図７】
2020009089.tif 000009
【図８】
2020009089.tif 000010
【図９】
2020009089.tif 000011
【図１０】
2020009089.tif 000012
【国際調査報告】
2020009089.tif 000013
2020009089.tif 000014
2020009089.tif 000015
2020009089.tif 000016